(57)【要約】【課題】音声ファイルと静止画ファイルとが記録された光ディスクを、ファイルの記録順序に関係なく、音声ファイルと静止画ファイルをシャッフルに同時再生することができる光ディスク再生装置を提供する。【解決手段】複数の音声ファイルと複数の静止画ファイルとが記録された光ディスクから再生リストＡが取得されると、再生リストＡが複数の音声ファイルを示す音声リストＢと複数の静止画ファイルを示す静止画リストＣとに振り分けられる。同時シャッフル再生の指示がされると、音声リストＢに対してランダム関数でシャッフルして実際に使用する音声用再生リストＤが作成されると共に、静止画リストＣに対してランダム関数でシャッフルして実際に使用する静止画用再生リストＥが作成され、音声用再生リストＤの再生順に従って音声ファイルが再生され、静止画用再生リストＥの再生順に従って静止画ファイルが再生される。【選択図】図２
2007220186.tif 000002
【特許請求の範囲】
【請求項１】
光ディスクに記録された情報を再生する光ディスク再生装置において、
複数の音声ファイルと複数の静止画ファイルとが記録された光ディスクから取得した再生リストを複数の音声ファイルを示す音声リストと複数の静止画ファイルを示す静止画リストとに振り分けするリスト振り分け手段と、
前記音声リストに対してランダム関数でシャッフルして実際に使用する音声用再生リストを作成すると共に前記静止画リストに対してランダム関数でシャッフルして実際に使用する静止画用再生リストを作成するリスト作成手段と、
音声用再生リストに示す音声ファイルを光ディスクから読み出して音声出力手段より音声出力させ、１つの音声ファイルの再生が終了すると、音声用再生リストの再生対象のリストを１つ進め、この１つ進めたリストの音声ファイルを光ディスクから読み出して音声出力手段より音声出力させるという音声再生制御、および前記音声出力と同時に静止画用再生リストに示す静止画ファイルを光ディスクから読み出して表示手段に表示させ、１つの静止画ファイルの再生が終了すると、静止画用再生リストの再生対象のリストを１つ進め、この１つ進めたリストの静止画ファイルを光ディスクから読み出して表示手段に表示させるという静止画再生制御とを同時に行って同時シャッフル再生を行わせる再生制御手段とを有するシステムコントローラを備えたことを特徴とする光ディスク再生装置。
【請求項２】
光ディスクに記録された情報を再生する光ディスク再生装置において、
複数の音声ファイルと複数の静止画ファイルとが記録された光ディスクから取得した再生リストを複数の音声ファイルを示す音声リストと複数の静止画ファイルを示す静止画リストとに振り分け、前記音声リストに対してランダム関数でシャッフルして実際に使用する音声用再生リストを作成すると共に前記静止画リストに対してランダム関数でシャッフルして実際に使用する静止画用再生リストを作成し、前記音声用再生リストの再生順に従って音声ファイルを再生させる制御と前記静止画用再生リストの再生順に従って静止画ファイルを再生させる制御とを同時に行って同時シャッフル再生を行わせるシステムコントローラを備えたことを特徴とする光ディスク再生装置。
【請求項３】
前記システムコントローラは、複数の音声ファイルと複数の静止画ファイルとが記録された光ディスクから取得した再生リストを複数の音声ファイルを示す音声リストと複数の静止画ファイルを示す静止画リストとに振り分けするリスト振り分け手段と、前記音声リストに対してランダム関数でシャッフルして実際に使用する音声用再生リストを作成すると共に前記静止画リストに対してランダム関数でシャッフルして実際に使用する静止画用再生リストを作成するリスト作成手段と、前記音声用再生リストの再生順に従って音声ファイルを再生させる音声再生制御および前記静止画用再生リストの再生順に従って静止画ファイルを再生させる静止画再生制御とを同時に行って同時シャッフル再生を行わせる再生制御手段とを有することを特徴とする請求項２に記載の光ディスク再生装置。
【請求項４】
前記再生制御手段における音声再生制御は、音声用再生リストに示す音声ファイルを光ディスクから読み出して音声出力手段より音声出力させ、１つの音声ファイルの再生が終了すると、音声用再生リストの再生対象のリストを１つ進め、この１つ進めたリストの音声ファイルを光ディスクから読み出して音声出力手段より音声出力させるという制御であり、
前記再生制御手段における静止画再生制御は、前記音声出力と同時に静止画用再生リストに示す静止画ファイルを光ディスクから読み出して表示手段に表示させ、１つの静止画ファイルの再生が終了すると、静止画用再生リストの再生対象のリストを１つ進め、この１つ進めたリストの静止画ファイルを光ディスクから読み出して表示手段に表示させるという制御であることを特徴とする請求項３に記載の光ディスク再生装置。
【発明の詳細な説明】
【技術分野】
【０００１】
本発明は、光ディスクに記録された情報を再生する光ディスク再生装置に関し、特に、複数の音声ファイルと複数の静止画ファイルとが記録された光ディスクに対する再生処理に関する。
【背景技術】
【０００２】
従来から、動画を高画質、高密度で記録できると共に、マルチアングル映像、副映像、マルチリンガル音声、多チャンネル音声（多チャンネルオーディオ）などの情報も記録できる光ディスクとして、ＤＶＤ（デジタル・バーサタイル・ディスク）ビデオ規格のＤＶＤが普及している。このＤＶＤビデオ規格のＤＶＤは、どちらかと言えば音声よりも映像優先で情報が記録されている。これに対し、映像よりも音声優先で情報が記録されているＤＶＤオーディオ規格のＤＶＤも普及している。
【０００３】
ＤＶＤオーディオ規格のＤＶＤでは、例えば、１曲ないし複数曲の音楽が連続して再生される場合に、その音声再生と同時に並行して１枚の静止画を継続的に出画（スチル画表示）させたり、複数枚の静止画を順番に切り替えながら表示（スライドショー）させたりすることができるようになっている。
【０００４】
ところで、光ディスク再生装置では、ＭＰ３フォーマットなどの音声ファイルとＪＰＥＧフォーマットなどの静止画ファイルとが複数記録されたＤＶＤオーディオ規格のＤＶＤの情報を再生する場合に、先ず、このＤＶＤが挿入され、立ち上げられた後、リモコンの再生キーが押下されると、再生リストの順に音声ファイルおよび静止画ファイルが再生される。
【０００５】
例えば、図２に示すように、再生リストＡには、再生順１．２．３．４．５．６．７．８．９．１０にそれぞれ従って、００１．ｍｐ３、００２．ｍｐ３、００１．ｊｐｇ、００３．ｍｐ３、００２．ｊｐｇ、００３．ｊｐｇ、００４．ｊｐｇ、００５．ｊｐｇ、００４．ｍｐ３、００５．ｍｐ３というファイル名のリストが配列されていると仮定する。ここで、ｍｐ３はＭＰ３フォーマットの音楽ファイルを示し、ｊｐｇはＪＰＥＧフォーマットの静止画ファイルを示す。
【０００６】
光ディスク再生装置では、ＤＶＤから再生リストＡを取得して再生を開始させると、００１．ｍｐ３、００２．ｍｐ３、００１．ｊｐｇ、００３．ｍｐ３、００２．ｊｐｇ、００３．ｊｐｇ、００４．ｊｐｇ、００５．ｊｐｇ、００４．ｍｐ３、００５．ｍｐ３という順に再生される。即ち、００１．ｍｐ３による音楽、００２．ｍｐ３による音楽、００１．ｊｐｇによる静止画、００３．ｍｐ３による音楽、００２．ｊｐｇによる静止画、００３．ｊｐｇによる静止画、００４．ｊｐｇによる静止画、００５．ｊｐｇによる静止画、００４．ｍｐ３による音楽、００５．ｍｐ３による音楽という順に再生される。
【特許文献１】特開２００２−２８８９４２号公報
【発明の開示】
【発明が解決しようとする課題】
【０００７】
ところで、再生リストの順に音楽と静止画とを再生させずに、再生リストのリスト順をランダムに並び変えて、しかもシャッフルで音楽と静止画を再生させたい場合がある。なお、ランダム再生であれば、ランダム関数によりランダムにリストが並び変えられ、同じ音楽が連続する場合や、同じ静止画が連続する場合も生じるが、シャッフル再生では、ランダム関数によりランダムにリストが並び変えられるが、同じ音楽が連続する場合や、同じ静止画が連続する場合が生じることがないようにシャッフルされて再生される。
【０００８】
したがって、従来の光ディスク再生装置では、再生リストの音声ファイル（音楽ファイル）と静止画ファイルとをシャッフル再生する場合に、一つのランダム関数で再生リストをシャッフルして、自動的に選択されたリストに従って音声ファイルと静止画ファイルとが再生されるが、音声ファイルが再生されて音声（音楽）がスピーカなどから出力されているときは、静止画はディスプレイ装置には表示されず、また、静止画ファイルが再生されて静止画がディスプレイ装置に表示されているときは、音声（音楽）は出力されない。
【０００９】
したがって、従来の光ディスク再生装置では、シャッフル再生で視聴しているユーザにとっては、音声（音楽）を聴きながら静止画を観ることができず、また、静止画を観ながら音声（音楽）を聴くことができないので、ユーザの視聴の楽しみ方が限定され、ユーザにとっての視聴の楽しみ方が十分であるとは言えないという課題があった。
【００１０】
ところで、特許文献１の従来技術では、２種類のスライドショー（シーケンシャル・スライドショー、ランダム／シャッフル・スライドショー）および３種類のブラウズ可能スチル画表示（画面切替が自動のシーケンシャル・ブラウズ可能スチル画表示、画面切替が自動のランダム／シャッフル・ブラウズ可能スチル画表示、画面切替をユーザが行うシーケンシャル・ブラウズ可能スチル画表示）が可能になっている。これにより、音声（オーディオ）を再生しながら、シーケンシャル・スライドショー、ランダム／シャッフル・スライドショー、画面切替が自動のシーケンシャル・ブラウズ可能スチル画表示、画面切替が自動のランダム／シャッフル・ブラウズ可能スチル画表示、画面切替をユーザが行うシーケンシャル・ブラウズ可能スチル画表示の何れかで静止画を切り替えている。
【００１１】
しかし、この従来技術は、シャッフル再生で言えば、静止画だけをシャッフル再生して、音声（オーディオ）に対してはシャッフル再生を行っていないので、例えば、デジタルカメラで撮影した映像をシャッフル再生しながら、音声もシャッフル再生して楽しむことができないので、ユーザにとっての視聴の楽しみ方が十分であるとは言えない。
【００１２】
本発明は、上記のような課題を解決するためになされたもので、音声ファイルと静止画ファイルとが記録された光ディスクを、ファイルの記録順序に関係なく、音声ファイルと静止画ファイルをシャッフルに同時再生することができる光ディスク再生装置を提供することを目的とする。
【課題を解決するための手段】
【００１３】
上記目的を達成するために、請求項１の発明は、複数の音声ファイルと複数の静止画ファイルとが記録された光ディスクから取得した再生リストを複数の音声ファイルを示す音声リストと複数の静止画ファイルを示す静止画リストとに振り分けするリスト振り分け手段と、前記音声リストに対してランダム関数でシャッフルして実際に使用する音声用再生リストを作成すると共に前記静止画リストに対してランダム関数でシャッフルして実際に使用する静止画用再生リストを作成するリスト作成手段と、音声用再生リストに示す音声ファイルを光ディスクから読み出して音声出力手段より音声出力させ、１つの音声ファイルの再生が終了すると、音声用再生リストの再生対象のリストを１つ進め、この１つ進めたリストの音声ファイルを光ディスクから読み出して音声出力手段より音声出力させるという音声再生制御、および前記音声出力と同時に静止画用再生リストに示す静止画ファイルを光ディスクから読み出して表示手段に表示させ、１つの静止画ファイルの再生が終了すると、静止画用再生リストの再生対象のリストを１つ進め、この１つ進めたリストの静止画ファイルを光ディスクから読み出して表示手段に表示させるという静止画再生制御とを同時に行って同時シャッフル再生を行わせる再生制御手段とを有するシステムコントローラを備えたことを特徴とする光ディスク再生装置を提供する。
【００１４】
この構成において、複数の音声ファイルと複数の静止画ファイルとが記録された光ディスクから再生リストが取得されると、リスト振り分け手段は、前記取得した再生リストを複数の音声ファイルを示す音声リストと複数の静止画ファイルを示す静止画リストとに振り分ける。同時シャッフル再生の指示がされると、リスト作成手段は、音声リストに対してランダム関数でシャッフルして実際に使用する音声用再生リストを作成すると共に、静止画リストに対してランダム関数でシャッフルして実際に使用する静止画用再生リストを作成する。
【００１５】
再生制御手段は、音声用再生リストの再生順に従って音声ファイルを再生させる音声再生制御と、静止画用再生リストの再生順に従って静止画ファイルを再生させる静止画再生制御とを同時に行って同時シャッフル再生を行わせる。即ち、再生制御手段は、例えば、音声用再生リスト内の最初に再生される音声ファイルを光ディスクから読み出し、音声出力手段より音声出力する。また、この音声出力と同時に、再生制御手段は、静止画用再生リスト内の最初に再生される静止画ファイルを光ディスクから読み出し、表示手段に表示させる。
【００１６】
そして、再生制御手段は、１つの音声ファイルの再生が終了したと判定すると、音声用再生リストの再生対象のリストを１つ進め、前記再生対象のリストを１つ進めた音声ファイルを再生させる。以下同様に、音声用再生リストのリスト全部の音声ファイルの再生が行われる。また、音声に関する再生処理と同時に、再生制御手段は、１つの静止画ファイルの再生が終了したと判定すると、静止画用再生リストの再生対象のリストを１つ進め、前記再生対象のリストを１つ進めた静止画ファイルを再生させる。以下同様に、静止画用再生リストのリスト全部の静止画ファイルの再生が行われる。
【００１７】
この構成によれば、音声ファイルと静止画ファイルとが記録された光ディスクを、ファイルの記録順序に関係なく、音声ファイルと静止画ファイルをシャッフルに同時再生することができるので、例えば、デジタルカメラで撮影した映像などをシャッフル再生しながら、音声もシャッフル再生して楽しむことができるようになり、ユーザにとっての視聴の楽しみ方が多くなり、装置としては使用価値が高まる。
【００１８】
請求項２の発明は、複数の音声ファイルと複数の静止画ファイルとが記録された光ディスクから取得した再生リストを複数の音声ファイルを示す音声リストと複数の静止画ファイルを示す静止画リストとに振り分け、前記音声リストに対してランダム関数でシャッフルして実際に使用する音声用再生リストを作成すると共に前記静止画リストに対してランダム関数でシャッフルして実際に使用する静止画用再生リストを作成し、前記音声用再生リストの再生順に従って音声ファイルを再生させる制御と前記静止画用再生リストの再生順に従って静止画ファイルを再生させる制御とを同時に行って同時シャッフル再生を行わせるシステムコントローラを備えたことを特徴とする光ディスク再生装置を提供する。
【００１９】
この構成において、複数の音声ファイルと複数の静止画ファイルとが記録された光ディスクから再生リストが取得されると、この取得した再生リストが、複数の音声ファイルを示す音声リストと複数の静止画ファイルを示す静止画リストとに振り分けられる。同時シャッフル再生の指示がされると、音声リストに対してランダム関数でシャッフルして実際に使用する音声用再生リストが作成されると共に、静止画リストに対してランダム関数でシャッフルして実際に使用する静止画用再生リストが作成される。そして、音声用再生リストの再生順に従って音声ファイルを再生させる音声再生制御と、静止画用再生リストの再生順に従って静止画ファイルを再生させる静止画再生制御とが同時に行われ、同時シャッフル再生が行われる。
【００２０】
この構成によれば、音声ファイルと静止画ファイルとが記録された光ディスクを、ファイルの記録順序に関係なく、音声ファイルと静止画ファイルをシャッフルに同時再生することができるので、例えば、デジタルカメラで撮影した映像などをシャッフル再生しながら、音声もシャッフル再生して楽しむことができるようになり、ユーザにとっての視聴の楽しみ方が多くなり、装置としては使用価値が高まる。
【００２１】
請求項３の発明では、請求項２の発明において、前記システムコントローラは、複数の音声ファイルと複数の静止画ファイルとが記録された光ディスクから取得した再生リストを複数の音声ファイルを示す音声リストと複数の静止画ファイルを示す静止画リストとに振り分けするリスト振り分け手段と、前記音声リストに対してランダム関数でシャッフルして実際に使用する音声用再生リストを作成すると共に前記静止画リストに対してランダム関数でシャッフルして実際に使用する静止画用再生リストを作成するリスト作成手段と、前記音声用再生リストの再生順に従って音声ファイルを再生させる音声再生制御および前記静止画用再生リストの再生順に従って静止画ファイルを再生させる静止画再生制御とを同時に行って同時シャッフル再生を行わせる再生制御手段とを有する。
【００２２】
したがって、前記システムコントローラは、リスト振り分け処理、リスト作成処理、および再生制御処理を実現でき、これにより、音声ファイルと静止画ファイルとを同時にシャッフル再生を行うことが可能になる。
【００２３】
請求項４の発明では、請求項３の発明において、前記再生制御手段における音声再生制御は、音声用再生リストに示す音声ファイルを光ディスクから読み出して音声出力手段より音声出力させ、１つの音声ファイルの再生が終了すると、音声用再生リストの再生対象のリストを１つ進め、この１つ進めたリストの音声ファイルを光ディスクから読み出して音声出力手段より音声出力させるという制御であり、前記再生制御手段における静止画再生制御は、前記音声出力と同時に静止画用再生リストに示す静止画ファイルを光ディスクから読み出して表示手段に表示させ、１つの静止画ファイルの再生が終了すると、静止画用再生リストの再生対象のリストを１つ進め、この１つ進めたリストの静止画ファイルを光ディスクから読み出して表示手段に表示させるという制御であるので、再生リストがシャッフルされた音声用再生リストの音声ファイルによる音声を出力させることができると共に、静止画リストがシャッフルされた静止画用再生リストの静止画ファイルによる静止画を表示させることができる。
【発明の効果】
【００２４】
以上のように本発明によれば、複数の音声ファイルと複数の静止画ファイルとが記録された光ディスクから取得した再生リストを複数の音声ファイルを示す音声リストと複数の静止画ファイルを示す静止画リストとに振り分けするリスト振り分け手段と、前記音声リストに対してランダム関数でシャッフルして実際に使用する音声用再生リストを作成すると共に前記静止画リストに対してランダム関数でシャッフルして実際に使用する静止画用再生リストを作成するリスト作成手段と、音声用再生リストに示す音声ファイルを光ディスクから読み出して音声出力手段より音声出力させ、１つの音声ファイルの再生が終了すると、音声用再生リストの再生対象のリストを１つ進め、この１つ進めたリストの音声ファイルを光ディスクから読み出して音声出力手段より音声出力させるという音声再生制御、および前記音声出力と同時に静止画用再生リストに示す静止画ファイルを光ディスクから読み出して表示手段に表示させ、１つの静止画ファイルの再生が終了すると、静止画用再生リストの再生対象のリストを１つ進め、この１つ進めたリストの静止画ファイルを光ディスクから読み出して表示手段に表示させるという静止画再生制御とを同時に行って同時シャッフル再生を行わせる再生制御手段とを有するシステムコントローラを備えたので、音声ファイルと静止画ファイルとが記録された光ディスクを、ファイルの記録順序に関係なく、音声ファイルと静止画ファイルをシャッフルに同時再生することができ、これにより、例えば、デジタルカメラで撮影した映像などをシャッフル再生しながら、音声もシャッフル再生して楽しむことができるようになり、ユーザにとっての視聴の楽しみ方が多くなり、装置としては使用価値が高まる。
【００２５】
また、本発明によれば、複数の音声ファイルと複数の静止画ファイルとが記録された光ディスクから取得した再生リストを複数の音声ファイルを示す音声リストと複数の静止画ファイルを示す静止画リストとに振り分け、前記音声リストに対してランダム関数でシャッフルして実際に使用する音声用再生リストを作成すると共に前記静止画リストに対してランダム関数でシャッフルして実際に使用する静止画用再生リストを作成し、前記音声用再生リストの再生順に従って音声ファイルを再生させる制御と前記静止画用再生リストの再生順に従って静止画ファイルを再生させる制御とを同時に行って同時シャッフル再生を行わせるシステムコントローラを備えたので、音声ファイルと静止画ファイルとが記録された光ディスクを、ファイルの記録順序に関係なく、音声ファイルと静止画ファイルをシャッフルに同時再生することができ、これにより、例えば、デジタルカメラで撮影した映像などをシャッフル再生しながら、音声もシャッフル再生して楽しむことができるようになり、ユーザにとっての視聴の楽しみ方が多くなり、装置としては使用価値が高まる。
【発明を実施するための最良の形態】
【００２６】
以下、添付図面を参照しつつ、本発明の実施の形態について説明する。図１は本発明の一実施形態に係る光ディスク再生装置の構成を示すブロック図である。
【００２７】
この光ディスク再生装置は、光ディスク１を回転させるスピンドルモータ５と、光ディスク１に記録された情報を再生するためのレーザ光を出射すると共に光ディスク１からの反射光を受光する光ピックアップ２と、この光ピックアップ２を光ディスク１の半径方向に移動させるためのスレッド３と、装置全体を制御するシステムコントローラ２２と、このシステムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２８】
また、この光ディスク再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からＤＶＤオーディオ規格に基づいているオーディオデータとサブピクチャデータとビデオデータ（静止画データ）とを分離するストリーム分離部９とを備えている。
【００２９】
また、この光ディスク再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納すると共に動画データや静止画データを格納するＲＡＭ１４とを備えている。
【００３０】
また、この光ディスク再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して動画や静止画をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００３１】
また、この光ディスク再生装置は、システムコントローラ２２に対して、再生指示を与えるための再生キーや、再生停止を指示するための停止キー、あるいは同時シャッフル再生の指示を与えるためのシャッフル再生キーなどの各種操作キーを有するリモコン２１を備えている。また、この光ディスク記録再生装置は、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２５とを備えている。
【００３２】
システムコントローラ２２は、複数の音声ファイルと複数の静止画ファイルとが記録された光ディスクから取得した再生リストを複数の音声ファイルを示す音声リストと複数の静止画ファイルを示す静止画リストとに振り分けするリスト振り分け手段２２１と、前記音声リストに対してランダム関数でシャッフルして実際に使用する音声用再生リストを作成すると共に前記静止画リストに対してランダム関数でシャッフルして実際に使用する静止画用再生リストを作成するリスト作成手段２２２と、音声用再生リストに示す音声ファイルを光ディスクから読み出して音声出力手段より音声出力させ、１つの音声ファイルの再生が終了すると、音声用再生リストの再生対象のリストを１つ進め、この１つ進めたリストの音声ファイルを光ディスクから読み出してスピーカ１９などより音声出力させるという音声再生制御、および前記音声出力と同時に静止画用再生リストに示す静止画ファイルを光ディスクから読み出してディスプレイ装置２０に表示させ、１つの静止画ファイルの再生が終了すると、静止画用再生リストの再生対象のリストを１つ進め、この１つ進めたリストの静止画ファイルを光ディスクから読み出して表示手段に表示させるという静止画再生制御とを同時に行って同時シャッフル再生を行わせる再生制御手段２２３とを有する。
【００３３】
図２は本実施形態において再生リストを音声リストと静止画リストに振り分けて実際に使用する音声用再生リストと静止画用再生リストを作成するまでの処理を説明するための図である。
【００３４】
図２において、Ａは光ディスクから取得した再生リストを示し、この再生リストＡには、再生順１．２．３．４．５．６．７．８．９．１０にそれぞれ従って、００１．ｍｐ３、００２．ｍｐ３、００１．ｊｐｇ、００３．ｍｐ３、００２．ｊｐｇ、００３．ｊｐｇ、００４．ｊｐｇ、００５．ｊｐｇ、００４．ｍｐ３、００５．ｍｐ３というファイル名のリストが配列されている。ここで、ｍｐ３はＭＰ３フォーマットの音楽ファイルを示し、ｊｐｇはＪＰＥＧフォーマットの静止画ファイルを示す。
【００３５】
Ｂは再生リストＡから振り分けられた音声ファイル（音楽ファイル）の音声リストを示す。この音声リストＢには、再生順１．２．３．４．５にそれぞれ従って、００１．ｍｐ３、００２．ｍｐ３、００３．ｍｐ３、００４．ｍｐ３、００５．ｍｐ３というファイル名のリストが配列されている。Ｃは再生リストＡから振り分けられた静止画ファイルの静止画リストを示す。この静止画リストＣには、再生順１．２．３．４．５．にそれぞれ従って、００１．ｊｐｇ、００２．ｊｐｇ、００３．ｊｐｇ、００４．ｊｐｇ、００５．ｊｐｇというファイル名のリストが配列されている。
【００３６】
Ｄは音声リストＢに対してランダム関数でシャッフルして実際に使用する（同時シャッフル再生時に使用する）音声用再生リストを示す。この音声用再生リストＤには、再生順１．２．３．４．５にそれぞれ従って、００３．ｍｐ３、００１．ｍｐ３、００５．ｍｐ３、００４．ｍｐ３、００２．ｍｐ３というファイル名のリストが配列されている。この音声用再生リストＤのリスト順は、音声リストＢのリスト順がランダム関数でシャッフルに変えられるので、００３．ｍｐ３、００１．ｍｐ３、００５．ｍｐ３、００４．ｍｐ３、００２．ｍｐ３という音声ファイルの再生順は、全部再生が終了した後、ランダム関数でシャッフルに変えられる。
【００３７】
Ｅは静止画リストＣに対してランダム関数でシャッフルして実際に使用する（同時シャッフル再生時に使用する）静止画用再生リストを示す。この静止画用再生リストＥには、再生順１．２．３．４．５にそれぞれ従って、００２．ｊｐｇ、００３．ｊｐｇ、００１．ｊｐｇ、００５．ｊｐｇ、００４．ｊｐｇというファイル名のリストが配列されている。    この静止画用再生リストＥのリスト順は、静止画リストＣのリスト順がランダム関数でシャッフルに変えられるので、００２．ｊｐｇ、００３．ｊｐｇ、００１．ｊｐｇ、００５．ｊｐｇ、００４．ｊｐｇという静止画ファイルの再生順は、全部再生が終了した後、ランダム関数でシャッフルに変えられる。
【００３８】
図３は本実施形態において再生リストを音声リストと静止画リストに振り分けるリスト振り分け処理を説明するためのフローチャートである。このフローチャートおよび図１、図２を参照してリスト振り分け処理について説明する。
【００３９】
複数の音声ファイルと複数の静止画ファイルとが記録された光ディスク１を、光ディスク再生装置に挿入すると、システムコントローラ２２は、光ディスク１の挿入を検知し（ステップＳ１）、サーボ制御部４を介してスピンドルモータ５を少し駆動させることにより光ディスク１を少し回転させると共に、同じくサーボ制御部４を介して光ピックアップ２を駆動させることにより、光ディスク１から再生リストのデータを読み出し、前述した動作を行うＲＦアンプ６およびデジタル信号処理部８を介して、再生リストＡを取得する（ステップＳ２）。
【００４０】
そして、システムコントローラ２２のリスト振り分け手段２２１は、前記取得した再生リストＡを複数の音声ファイル（音楽ファイル）を示す音声リストＢと複数の静止画ファイルを示す静止画リストＣとに振り分ける処理に移る（ステップＳ３）。即ち、リスト振り分け手段２２１は、再生リストＡ内の全リストの振り分けが終了したか否かを判定する（ステップＳ４）。ここでの判定処理では、振り分け処理が開始する前は当然終了していないと判定されるので、ステップＳ５の処理に移る。
【００４１】
ステップＳ５では、再生リストＡから読み出されたリストが音声ファイルであるか否かを判定する（ステップＳ５）。最初は再生リストＡから「００１．ｍｐ３」が読み出されるので、音声ファイル（音楽ファイル）であると判定され、ステップＳ６では、音声リストＢに「００１．ｍｐ３」のリストが書き込まれる（ステップＳ６）。次に、再生リストＡから「００２．ｍｐ３」が読み出されるので、音声ファイル（音楽ファイル）であると判定され、ステップＳ６では、音声リストＢに「００２．ｍｐ３」のリストが書き込まれる。なお、音声リストＢと下記の静止画リストＣはＲＡＭ２５に格納されるものとする。
【００４２】
この後、再生リストＡからは「００１．ｊｐｇ」が読み出されるので、静止画ファイルであると判定され（ステップＳ７）、ステップＳ８では、静止画リストＣに「００１．ｊｐｇ」のリストが書き込まれる。次に、再生リストＡから「００３．ｍｐ３」が読み出されるので、音声ファイル（音楽ファイル）であると判定され（ステップＳ５）、ステップＳ６では、音声リストＢに「００３．ｍｐ３」のリストが書き込まれる。
【００４３】
この後、再生リストＡからは「００２．ｊｐｇ」が読み出されるので、静止画ファイルであると判定され（ステップＳ７）、ステップＳ８では、静止画リストＣに「００２．ｊｐｇ」のリストが書き込まれる。次に、再生リストＡからは「００３．ｊｐｇ」が読み出されるので、静止画ファイルであると判定され（ステップＳ７）、ステップＳ８では、静止画リストＣに「００３．ｊｐｇ」のリストが書き込まれる。
【００４４】
この後、再生リストＡからは「００４．ｊｐｇ」が読み出されるので、静止画ファイルであると判定され（ステップＳ７）、ステップＳ８では、静止画リストＣに「００４．ｊｐｇ」のリストが書き込まれる。次に、再生リストＡからは「００５．ｊｐｇ」が読み出されるので、静止画ファイルであると判定され（ステップＳ７）、ステップＳ８では、静止画リストＣに「００５．ｊｐｇ」のリストが書き込まれる。
【００４５】
この後、再生リストＡから「００４．ｍｐ３」が読み出されるので、音声ファイル（音楽ファイル）であると判定され（ステップＳ５）、ステップＳ６では、音声リストＢに「００４．ｍｐ３」のリストが書き込まれる。次に、再生リストＡから「００５．ｍｐ３」が読み出されるので、音声ファイル（音楽ファイル）であると判定され（ステップＳ５）、ステップＳ６では、音声リストＢに「００５．ｍｐ３」のリストが書き込まれる。
【００４６】
図４は本実施形態において音声と静止画とを同時にシャッフルで再生する処理を説明するためのフローチャートである。このフローチャートおよび図１、図２を参照して音声と静止画とを同時にシャッフルで再生する処理について説明する。
【００４７】
リモコン２１の操作により、同時シャッフル再生の指示がされると（ステップＮ１）、システムコントローラ２２のリスト作成手段２２２は、音声リストＢに対してランダム関数でシャッフルして実際に使用する（同時シャッフル再生で使用する）音声用再生リストＤを作成すると共に、静止画リストＣに対してランダム関数でシャッフルして実際に使用する（同時シャッフル再生で使用する）静止画用再生リストＥを作成する（ステップＮ２）。
【００４８】
即ち、リスト作成手段２２２は、音声リストＢ内の００１．ｍｐ３、００２．ｍｐ３、００３．ｍｐ３、００４．ｍｐ３、００５．ｍｐ３というファイル名のリストがランダム関数でシャッフルして、再生順が００３．ｍｐ３、００１．ｍｐ３、００５．ｍｐ３、００４．ｍｐ３、００２．ｍｐ３となった音声用再生リストＤを作成する。また、リスト作成手段２２２は、静止画リストＣ内の００１．ｊｐｇ３、００２．ｊｐｇ、００３．ｊｐｇ、００４．ｊｐｇ、００５．ｊｐｇというファイル名のリストがランダム関数でシャッフルして、再生順が００２．ｊｐｇ、００３．ｊｐｇ、００１．ｊｐｇ、００５．ｊｐｇ、００４．ｊｐｇとなった静止画用再生リストＥを作成する。
【００４９】
次に、システムコントローラ２２の再生制御手段２２３は、音声用再生リストＤの再生順に従って音声ファイルを再生させる音声再生制御と、静止画用再生リストＥの再生順に従って静止画ファイルを再生させる静止画再生制御とを同時に行って同時シャッフル再生を行わせる（ステップＮ３）。即ち、再生制御手段２２３は、先ず、音声用再生リストＤ内の最初に再生される００３．ｍｐ３のファイルを光ディスク１から読み出し、スピーカ１９より音声出力する。詳しくは、再生制御手段２２３は、光ディスク１に記録されている００３．ｍｐ３のファイルを光ピックアップ２により読み出し、ＲＦアンプ６、デジタル信号処理部８、ストリーム分離部９、オーディオデコーダ１１、Ｄ／Ａ変換器１６、および図示しない音声回路により、００３．ｍｐ３のファイルを所定処理し、スピーカ１９から００３．ｍｐ３のファイルに関する音声（音楽）を出力する。
【００５０】
また、この音声出力と同時に、再生制御手段２２３は、先ず、静止画用再生リストＥ内の最初に再生される００２．ｊｐｇのファイルを光ディスク１から読み出し、ディスプレイ装置２０に表示させる。詳しくは、再生制御手段２２３は、光ディスク１に記録されている００２．ｊｐｇのファイルを光ピックアップ２により読み出し、ＲＦアンプ６、デジタル信号処理部８、ストリーム分離部９、ビデオデコーダ１５、ビデオプロセッサ１７、およびビデオエンコーダ１８により、００２．ｊｐｇのファイルを所定処理し、ディスプレイ装置２０に００２．ｊｐｇのファイルに関する静止画を表示させる。
【００５１】
そして、再生制御手段２２３は、１つの音声ファイル（００３．ｍｐ３のファイル）の再生が終了したと判定すると（ステップＮ４）、音声用再生リストＤの再生対象のリストを１つ進める（ステップＮ５）。この例の場合、音声用再生リストＤの再生対象のリストは、００１．ｍｐ３のファイルのリストを示すことになる。音声用再生リストＤのリスト全部の音声ファイルの再生が終了していない場合は（ステップＮ６）、再生制御手段２２３は、次の音声ファイル（前記再生対象のリストを１つ進めた音声ファイル）を再生させる（ステップＮ８）。以下同様に、音声用再生リストＤのリスト全部の音声ファイルの再生が行われる。
【００５２】
また、音声に関する再生処理と同時に、再生制御手段２２３は、１つの静止画ファイル（００２．ｊｐｇのファイル）の再生が終了したと判定すると（ステップＮ９）、静止画用再生リストＥの再生対象のリストを１つ進める（ステップＮ１０）。この例の場合、静止画用再生リストＥの再生対象のリストは、００３．ｊｐｇのファイルのリストを示すことになる。静止画用再生リストＥのリスト全部の静止画ファイルの再生が終了していない場合は（ステップＮ１１）、再生制御手段２２３は、次の静止画ファイル（前記再生対象のリストを１つ進めた静止画ファイル）を再生させる（ステップＮ１２）。以下同様に、静止画用再生リストＥのリスト全部の静止画ファイルの再生が行われる。
【００５３】
音声用再生リストＤのリスト全部の音声ファイルの再生が終了し（ステップＮ６）、静止画用再生リストＥの静止画ファイルの再生が終了している場合（ステップＮ７）、または静止画用再生リストＥのリスト全部の静止画ファイルの再生が終了し（ステップＮ１１）、音声用再生リストＤの音声ファイルの再生が終了している場合（ステップＮ１３）は、本処理は終える。
【００５４】
以上説明したように本実施形態によれば、音声ファイルと静止画ファイルとが記録された光ディスクを、ファイルの記録順序に関係なく、音声ファイルと静止画ファイルをシャッフルに同時再生することができ、これにより、例えば、デジタルカメラで撮影した映像などをシャッフル再生しながら、音声もシャッフル再生して楽しむことができるようになり、ユーザにとっての視聴の楽しみ方が多くなり、装置としては使用価値が高まる。
【産業上の利用可能性】
【００５５】
本発明は、音声ファイルと静止画ファイルとが記録された光ディスクを、ファイルの記録順序に関係なく、音声ファイルと静止画ファイルをシャッフルに同時再生することができる機能を、ＤＶＤプレイヤやＤＶＤレコーダなどに採用することができる。
【図面の簡単な説明】
【００５６】
【図１】本発明の一実施形態に係る光ディスク再生装置の構成を示すブロック図である。
【図２】前記実施形態において再生リストを音声リストと静止画リストに振り分けて実際に使用する音声用再生リストと静止画用再生リストを作成するまでの処理を説明するための図である。
【図３】前記実施形態において再生リストを音声リストと静止画リストに振り分けるリスト振り分け処理を説明するためのフローチャートである。
【図４】前記実施形態において音声と静止画とを同時にシャッフルで再生する処理を説明するためのフローチャートである。
【符号の説明】
【００５７】
１    光ディスク
１９    スピーカ（音声出力手段）
２０    ディスプレイ装置（表示手段）
２２    システムコントローラ
２２１    リスト振り分け手段
２２２    リスト作成手段
２２３    再生制御手段
Ａ    再生リスト
Ｂ    音声リスト
Ｃ    静止画リスト
Ｄ    音声用再生リスト
Ｅ    静止画用再生リスト
【図１】
2007220186.tif 000003
【図２】
2007220186.tif 000004
【図３】
2007220186.tif 000005
【図４】
2007220186.tif 000006